(57)【特許請求の範囲】
【請求項１】
建物でのエネルギーの需給を管理するエネルギー管理装置であって、
前記建物内で使用されるエネルギー機器と内部通信ネットワークで接続されており、前記内部通信ネットワークにより、前記エネルギー機器の機能と、性能スペック情報とを予め収集して、機器プロファイルとして保存する機器情報処理部と、
前記エネルギー機器の運転経歴、及び、運転に伴って消費された、第１の時間単位でのエネルギーに関する消費エネルギー経歴を収集する機器運転処理部と、
前記消費エネルギー経歴を、消費エネルギー経歴プロファイルとして保存する消費エネルギー経歴管理部と、
第２の時間単位での消費エネルギーの合計が互いに同等である複数の前記消費エネルギー経歴プロファイルのうちから、所定基準により評価される量が、当該所定基準により最適と評価される前記消費エネルギー経歴を抽出し、抽出された前記消費エネルギー経歴が含まれる最適消費エネルギーパターンを作成する制御経歴処理部と、
作成された前記最適消費エネルギーパターンを、前記建物外で、かつ、隣接する他の建物内でのエネルギーの需給を管理する第２のエネルギー管理装置に、第１の外部通信ネットワーク経由で送信する制御経歴転送処理部とを備えるエネルギー管理装置。
【請求項２】
前記所定基準により評価される前記量は、前記第２の時間単位よりも短い第１の時間単位での消費エネルギーの総量、又は、前記第２の時間単位でのＣＯ２総排出相当量である請求項１記載のエネルギー管理装置。
【請求項３】
前記制御経歴転送処理部は、当該第１のエネルギー管理装置の前記建物外で、かつ、隣接する他の建物内でのエネルギーの需給を管理する第３のエネルギー管理装置から、第１の外部通信ネットワーク経由で当該第１のエネルギー管理装置に送信された最適消費エネルギーパターンを受信し、
前記制御経歴処理部は、受信された前記最適消費エネルギーパターンが、当該第１のエネルギー管理装置の有している最適消費エネルギーパターンと比較し、所定基準に基づいて、より優れるかを判定し、
前記制御経歴転送処理部は、より優れるとの前記判定がされた場合に、受信された前記最適消費エネルギーパターンを、当該第１のエネルギー管理装置の前記建物と隣接する他の建物内の、第４のエネルギー管理装置に転送する請求項１記載のエネルギー管理装置。
【請求項４】
機器制御適用部を備え、
前記制御経歴転送処理部は、前記第３のエネルギー管理装置から、機器プロファイルが含まれる前記最適消費エネルギーパターンを受信し、
前記制御経歴処理部は、受信された前記最適消費エネルギーパターンに含まれる前記機器プロファイルが有する、当該第１のエネルギー管理装置の機器プロファイルと比較した類似度が、所定以上の類似度であり、かつ、受信された前記最適消費エネルギーパターンが、当該第１のエネルギー管理装置の有している前記最適消費エネルギーパターンと比較して、所定基準に基づいてより優れる場合に、第２の判定を行い、
前記機器制御適用部は、当該第２の判定がされた場合に、受信された前記最適消費エネルギーパターンを、当該第１のエネルギー管理装置の前記建物内での前記エネルギー機器の運転の参考計画として受け入れ、実施する請求項３記載のエネルギー管理装置。
【請求項５】
当該第１のエネルギー管理装置の前記建物内では、前記エネルギー機器として、エネルギー需要機器と、エネルギー蓄積機器とがそれぞれ使用され、
当該第１のエネルギー管理装置は、前記エネルギー需要機器で使用されるエネルギーと、前記エネルギー蓄積機器に蓄積されるエネルギーとをそれぞれ管理する請求項１記載のエネルギー管理装置。
【請求項６】
当該第１のエネルギー管理装置の前記建物内に供給されるエネルギーの単価、及び、当該エネルギーの単位エネルギーに相当するＣＯ２排出相当量の変動情報を、第２の通信ネットワーク経由で外部から受信するユーティリティ情報処理部を備え、
前記消費エネルギー経歴管理部は、受信された前記変動情報に基づいて、前記消費エネルギーのコストと、当該消費エネルギーに相当するＣＯ２排出相当量とをそれぞれ算出する請求項１記載のエネルギー管理装置。
【請求項７】
建物でのエネルギーの需給を管理するエネルギー管理装置であって、
第２の当該エネルギー管理装置の前記建物外で、かつ、隣接する他の建物内でのエネルギーの需給を管理する第１のエネルギー管理装置の最適消費エネルギーパターンを受信する制御経歴転送処理部と、
受信された前記最適消費エネルギーパターンに含まれた機器プロファイルが有する、当該第２のエネルギー管理装置の機器プロファイルと比較した類似度が、所定以上の類似度であり、かつ、受信された前記最適消費エネルギーパターンが、当該第２のエネルギー管理装置の有している最適消費エネルギーパターンと比較して、所定基準に基づいて、より優れる場合に、受信された前記最適消費エネルギーパターンを、当該第２のエネルギー管理装置の前記建物内での各エネルギー機器の運転の参考計画として受け入れ、実施する機器制御適用部とを備えるエネルギー管理装置。
【請求項８】
制御経歴処理部を備え、
前記第２のエネルギー管理装置は、前記第１のエネルギー管理装置と共に、第３の外部通信ネットワークで、共通な管理サーバと接続されており、
前記制御経歴転送処理部は、前記管理サーバから、前記第１のエネルギー管理装置の前記最適消費エネルギーパターンを受信し、
前記制御経歴処理部は、受信された前記最適消費エネルギーパターンに含まれた前記機器プロファイルが有する、当該第２のエネルギー管理装置の前記機器プロファイルと比較した前記類似度が、所定以上の類似度であり、かつ、受信された前記最適消費エネルギーパターンの方が、当該第２のエネルギー管理装置の有している前記最適消費エネルギーパターンと比較して、所定基準に基づいて、より優れる場合に、受信された前記最適消費エネルギーパターンを受け入れる判定を行い、
前記機器制御適用部は、当該判定がされた場合に、受信された前記最適消費エネルギーパターンを受け入れ、実施する請求項７記載のエネルギー管理装置。
【請求項９】
当該第２のエネルギー管理装置の前記建物の構造とサイズと位置とを含む建物情報と、温度と湿度とを含む天候情報と、当該建物内で使用される前記エネルギー機器の使用者の数及び特徴を含む使用者情報とにより、使用環境プロファイルを作成し、作成された前記使用環境プロファイルを、当該第２のエネルギー管理装置の前記機器プロファイルに追加する機器情報処理部を備え、
前記制御経歴処理部は、前記第１のエネルギー管理装置から送信された前記最適消費エネルギーパターンの前記機器プロファイルを、当該第２のエネルギー管理装置の当該機器プロファイルと比較する際に、２つの当該機器プロファイルの前記使用環境プロファイルの間の類似度に関しても併せて比較し、前記使用環境プロファイルの前記類似度が、所定以上の類似度である場合に限り、受信された前記最適消費エネルギーパターンを受け入れる前記判定を行う請求項８記載のエネルギー管理装置。
【請求項１０】
第１の建物でのエネルギーの需給を管理する第１のエネルギー管理装置と、第２の建物でのエネルギーの需給を管理する第２のエネルギー管理装置とが含まれるエネルギー管理システムであって、
前記第１のエネルギー管理装置は、
第１の前記建物内で使用されるエネルギー機器と内部通信ネットワークで接続されており、前記内部通信ネットワークにより、前記エネルギー機器の機能と、性能スペック情報とを予め収集して、機器プロファイルとして保存する機器情報処理部と、
前記エネルギー機器の運転経歴、及び、運転に伴って消費された、第１の時間単位でのエネルギーに関する消費エネルギー経歴を収集する機器運転処理部と、
前記消費エネルギー経歴を、消費エネルギー経歴プロファイルとして保存する消費エネルギー経歴管理部と、
第２の時間単位での消費エネルギーの合計が互いに同等である複数の前記消費エネルギー経歴プロファイルのうちから、所定基準により評価される、前記第２の時間単位よりも短い第１の時間単位での量が、当該所定基準により最適と評価される前記消費エネルギー経歴を抽出し、抽出された前記消費エネルギー経歴が含まれる最適消費エネルギーパターンを作成する制御経歴処理部と、
作成された前記最適消費エネルギーパターンを、第１の前記建物外で、かつ、隣接する前記第２の建物内でのエネルギーの需給を管理する前記第２のエネルギー管理装置に、第１の外部通信ネットワーク経由で送信する制御経歴転送処理部とを備え、
前記第２のエネルギー管理装置は、
当該第２のエネルギー管理装置の第２の前記建物外で、かつ、隣接する第１の前記建物内でのエネルギーの需給を管理する前記第１のエネルギー管理装置から、当該第１のエネルギー管理装置の前記制御経歴転送処理部により送信された前記最適消費エネルギーパターンを受信する制御経歴転送処理部と、
受信された前記最適消費エネルギーパターンに含まれた機器プロファイルが有する、当該第２のエネルギー管理装置の機器プロファイルと比較した類似度が、所定以上の類似度であり、かつ、受信された前記最適消費エネルギーパターンが、当該第２のエネルギー管理装置の有している最適消費エネルギーパターンと比較して、所定基準に基づいて、より優れる場合に、受信された前記最適消費エネルギーパターンを、当該第２のエネルギー管理装置の第２の前記建物内での各エネルギー機器の運転の参考計画として受け入れ、実施する機器制御適用部とを備えるエネルギー管理システム。
【請求項１１】
建物でのエネルギーの需給を、エネルギー管理装置により管理するエネルギー管理方法であって、
前記建物内で使用されるエネルギー機器と前記エネルギー管理装置とが接続される内部通信ネットワークにより、前記エネルギー機器の機能と、性能スペック情報とを予め収集して、機器プロファイルとして保存する機器情報処理ステップと、
前記エネルギー機器の運転経歴、及び、運転に伴って消費された、第１の時間単位でのエネルギーに関する消費エネルギー経歴を収集する機器運転処理ステップと、
前記消費エネルギー経歴を、消費エネルギー経歴プロファイルとして保存する消費エネルギー経歴管理ステップと、
第２の時間単位での消費エネルギーの合計が互いに同等である複数の前記消費エネルギー経歴プロファイルのうちから、所定基準により評価される、前記第２の時間単位よりも短い第１の時間単位での量が、当該所定基準により最適と評価される前記消費エネルギー経歴を抽出し、抽出された前記消費エネルギー経歴が含まれる最適消費エネルギーパターンを作成する制御経歴処理ステップと、
作成された前記最適消費エネルギーパターンを、前記建物外で、かつ、隣接する他の建物内でのエネルギーの需給を管理する第２のエネルギー管理装置に、第１の外部通信ネットワーク経由で送信する制御経歴転送処理ステップとを含むエネルギー管理方法。
【請求項１２】
建物でのエネルギーの需給を、エネルギー管理装置により管理するエネルギー管理方法であって、
第２の当該エネルギー管理装置の前記建物外で、かつ、隣接する他の建物内でのエネルギーの需給を管理する第１のエネルギー管理装置から最適消費エネルギーパターンを受信する制御経歴転送処理ステップと、
受信された前記最適消費エネルギーパターンに含まれた機器プロファイルが有する、当該第２のエネルギー管理装置の機器プロファイルと比較した類似度が、所定以上の類似度であり、かつ、受信された前記最適消費エネルギーパターンが、当該第２のエネルギー管理装置の有している最適消費エネルギーパターンと比較して、所定基準に基づいて、より優れる場合に、受信された前記最適消費エネルギーパターンを、当該第２のエネルギー管理装置の前記建物内での各エネルギー機器の運転の参考計画として受け入れ、実施する機器制御適用ステップとを含むエネルギー管理方法。
【発明の詳細な説明】
【技術分野】
【０００１】
本願発明は、複数の建物の間において、ユーティリティからの情報に対応して、消費エネルギーを制御するための技術に関するものである。
【背景技術】
【０００２】
家（一戸建てあるいは集合住宅）やオフィスビル等の建物では、消費エネルギーを制御する。このために、機器種類別に、消費エネルギーの許容値を制限する方法や、センシング情報を基に、単体機器に対して自動運転制御する方法が、一般的に用いられている。その結果、建物内でのピーク消費電力の抑制や、単体機器のエネルギー利用効率の向上が可能となる。
【０００３】
例えば、特許文献１に記載の技術では、各機器の電力消費情報を収集し、系統別に消費電力を学習、ランク分けする。そして、消費電力が許容電力を上回った場合には、各々の系統のランク毎に、消費電力を合計する。そして、その合計値が、学習した消費電力と比較して過剰な機器から、消費電力を制御する。
【０００４】
また、特許文献２に記載の技術では、特定種類の機器の消費電力を収集し、収集した消費電力を基に、該種類の機器の消費電力が最小レベルとなる制御法を求める。そして、こうして、消費電力が最小レベルである制御法を求めると共に、この求められた制御法によって、該種類の機器を制御した場合の省エネルギー効果を予測する。そして、この予測の予測結果を、省エネルギー対策案として、該種類の全ての機器に対して実施する。
【先行技術文献】
【特許文献】
【０００５】
【特許文献１】特開平１１−１７８２４７号公報
【特許文献２】特開２００３−１５８８２３号公報
【発明の概要】
【発明が解決しようとする課題】
【０００６】
これらの技術により、建物内のピーク消費電力を抑制することや、単体機器のエネルギー利用効率の向上を図ることができる。しかしながら、建物全体のエネルギー機器（エネルギー需要機器、エネルギー蓄積機器…）全てに対する最適な制御、及びその制御での制御経験（制御経験情報）の伝授を行うことができない。
【０００７】
また、再生エネルギー利用拡大により、電力価格や電力構成が動的に変動すると考えられる。このため、その変動に対応した、建物まるごとの消費エネルギーを抑制する技術の確立が必要である。
【０００８】
一方、同じ地域にある、同様な複数の建物の間で、天候も同じで、電気会社やガス会社との利用契約も同じであるにも関わらず、建物の使用者によって、消費されるエネルギーや、そのコストなどに大きな差を生じることがある。それは、基本的に、使用者の使用スタイルや、機器に対する使用の仕方、又は運転設定の違いなどによって生じたものである。単体機器の場合には、マニュアルにより、使用者に、適切な省エネ使用方法を伝えることができる。しかし、機器が、組み合わせで使用された場合の省エネ方法については、使用者に伝えることは困難であり、使用者が、自分の知識や経験に頼らざるを得なかった。
【０００９】
本願発明は、このような状況を鑑みてなされたものであり、機器の組み合わせに対する、適切な省エネ制御経験（省エネ制御経験情報）を、建物の間で送信し、地域での省エネ制御方法の、自動的かつ迅速な普及が可能な省エネ制御経験情報の伝授方法（エネルギー管理装置）を提供することを目的とする。
【課題を解決するための手段】
【００１０】
上記目的を達成するために、本願発明の一態様では、エネルギー管理装置は、建物でのエネルギーの需給を管理するエネルギー管理装置であって、前記建物内で使用されるエネルギー機器と内部通信ネットワークで接続されており、前記内部通信ネットワークにより、前記エネルギー機器の機能（を特定する情報）と、性能スペック情報とを予め収集して、機器プロファイル（情報）として保存する機器情報処理部と、前記エネルギー機器の運転経歴、及び、運転に伴って消費された、第１の時間単位でのエネルギーに関する消費エネルギー経歴（例えば、そのエネルギ量を示す情報）を収集する機器運転処理部と、前記消費エネルギー経歴を、消費エネルギー経歴プロファイルとして保存する消費エネルギー経歴管理部と、第２の時間単位での消費エネルギーの合計が互いに同等である複数の前記消費エネルギー経歴プロファイルのうちから、所定基準により評価される量が、当該所定基準により最適と評価（特定）される前記消費エネルギー経歴を抽出し、抽出された前記消費エネルギー経歴が含まれる最適消費エネルギーパターンを作成する制御経歴処理部と、作成された前記最適消費エネルギーパターンを、前記建物外で、かつ、隣接する他の建物内でのエネルギーの需給を管理する、当該エネルギー管理装置である第１のエネルギー管理装置とは別の第２のエネルギー管理装置に、第１の外部通信ネットワーク経由で送信する制御経歴転送処理部とを備えるエネルギー管理装置である。
【００１１】
また、他の一態様では、エネルギー管理装置（第２のエネルギー管理装置）は、建物でのエネルギーの需給を管理するエネルギー管理装置であって、当該第２のエネルギー管理装置の前記建物外で、かつ、隣接する他の建物内でのエネルギーの需給を管理する第１のエネルギー管理装置から最適消費エネルギーパターンを受信する制御経歴転送処理部と、受信された前記最適消費エネルギーパターンに含まれた機器プロファイルが有する、当該第２のエネルギー管理装置の機器プロファイルと比較した類似度が、所定以上の類似度であり、かつ、受信された前記最適消費エネルギーパターンが、当該第２のエネルギー管理装置の有している最適消費エネルギーパターンと比較して、所定基準に基づいて、より優れる場合に、受信された前記最適消費エネルギーパターンを、当該第２のエネルギー管理装置の前記建物内での各エネルギー機器の運転の参考計画として受け入れ、実施する機器制御適用部とを備えるエネルギー管理装置である。
【００１２】
なお、エネルギーの需給を管理するとは、例えば、エネルギー機器による、エネルギーの入出力などの動作を制御をすることなどをいう。機器プロファイルは、例えば、エネルギー機器の種類を特定する情報などである。２つが互いに同等であるとは、他方が、一方から所定範囲内であることでもよいし、一方と同じであることなどでもよい。最適と評価されるとは、算出される上述の量が、最も適切な量であることなどをいう。隣接するとは、予め定められた距離よりも離れているのでなく、その距離以内であることなどをいう。
【発明の効果】
【００１３】
上記の態様によれば、互いに知り合わない、同地域の複数の建物の使用者の間でも、省エネ制御経験情報を共有することができる（図１６等を参照）。そして、個別の建物だけでなく地域全体で、消費エネルギーコストを抑えることや、ＣＯ２排出量の削減などを図ることができる。
【００１４】
適切な制御が簡単にされることと、行われる制御が十分適切であることとが両立できる。
【図面の簡単な説明】
【００１５】
【図１】図１は、処理の概要を示す図である。
【図２】図２は、エネルギー管理装置の構成を示す図である。
【図３】図３は、システム構成を示す図である。
【図４】図４は、管理サーバのある場合のシステム構成を示す図である。
【図５】図５は、機器プロファイルを示す図である。
【図６】図６は、消費エネルギー経歴プロファイルを示す図である。
【図７】図７は、ユーティリティ情報を示す図である。
【図８】図８は、最適消費エネルギーパターンを示す図である。
【図９】図９は、使用環境プロファイルを示す図である。
【図１０】図１０は、送信側、受信側のエネルギー管理装置を示す図である。
【図１１】図１１は、送信側、受信側のエネルギー管理装置と、他のエネルギー管理装置とを示す図である。
【図１２】図１２は、送信側、受信側のエネルギー管理装置と、他のエネルギー管理装置とを示す図である。
【図１３】図１３は、ユーティリティ会社と、エネルギー管理装置とを示す図である。
【図１４】図１４は、送信側、受信側のエネルギー管理装置を示す図である。
【図１５】図１５は、４つのエネルギー管理装置を示す図である。
【図１６】図１６は、本システムの一例を示す図である。
【発明を実施するための形態】
【００１６】
以下、本発明を実施する形態について、図面を参照して説明される。
【００１７】
実施形態におけるエネルギー管理装置Ａ（第１のエネルギー管理装置１０１ａ（図１１、図１０、図１等）、エネルギー管理装置１０１（図２）など）は、建物（第１の建物１１ａ（図１等））でのエネルギーの需給を管理するエネルギー管理装置である。エネルギー管理装置Ａは、前記建物内で使用されるエネルギー機器（機器１２ａ）と内部通信ネットワーク（内部通信ネットワーク１０２ａ：図３）で接続されている。エネルギー管理装置Ａは、機器情報処理部（機器情報処理部３０１）と、機器運転処理部（機器運転処理部３０２）と、消費エネルギー経歴管理部（消費エネルギー経歴管理部３０５）と、制御経歴処理部（制御経歴処理部３０６）と、制御経歴転送処理部（制御経歴転送処理部３０３）とを備えるエネルギー管理装置である。機器情報処理部（機器情報処理部３０１）は、前記内部通信ネットワークにより、前記エネルギー機器の機能を特定する情報と、性能スペック情報とを予め収集して、機器プロファイル（機器プロファイル５１０、機器の情報５１２：図５など参照）として保存する。機器運転処理部（機器運転処理部３０２）は、前記エネルギー機器の運転経歴、及び、運転に伴って消費された、第１の時間単位でのエネルギーに関する消費エネルギー経歴を収集する。消費エネルギー経歴管理部（消費エネルギー経歴管理部３０５）は、前記消費エネルギー経歴を、消費エネルギー経歴プロファイル（消費エネルギー経歴プロファイル６１０、運転経歴情報６１５：図６参照）として保存する。制御経歴処理部（制御経歴処理部３０６）は、第２の時間単位での消費エネルギーの合計（消費エネルギー総量６１２：図６参照）が互いに同等である複数の前記消費エネルギー経歴プロファイルのうちから、所定基準により評価される量が、当該所定基準により最適と評価される前記消費エネルギー経歴を抽出する。ここで、第２の時間単位は、第２の時間区間６１１での時間単位である。所定基準は、後記の基準＜１＞〜＜４＞などであり、所定基準により評価される量は、消費エネルギー量６１５３、ＣＯ２排出相当量６１５５等からの量、これらの量から算出される算出量などである。制御経歴処理部（制御経歴処理部３０６）は、抽出された前記消費エネルギー経歴が含まれる最適消費エネルギーパターン（最適消費エネルギーパターン８１０：図８参照）を作成する。制御経歴転送処理部（制御経歴転送処理部３０３）は、作成された前記最適消費エネルギーパターンを、前記建物（第１の建物１１ａ）外で、かつ、隣接する他の建物（第２の建物１１ｂ）内でのエネルギーの需給を管理する第２のエネルギー管理装置（第２のエネルギー管理装置１０１ｂ）に、第１の外部通信ネットワーク（外部通信ネットワーク１０３：図３）経由で送信する。
【００１８】
なお、例えば、こうして、予め収集された、機能の情報と、性能スペックの情報とが含まれてなる機器プロファイルが生成されて、保存されてもよい。また、例えば、上述のようにして、所定基準により比較的適切と評価される消費エネルギー経歴が抽出されてもよい。
【００１９】
また、実施形態におけるエネルギー管理装置Ｂ（第２のエネルギー管理装置１０１ｂ（図１１等）、エネルギー管理装置１０１等（図１０、図２等））は、建物（第２の建物１１ｂ）でのエネルギーの需給を管理するエネルギー管理装置である。エネルギー管理装置Ｂは、制御経歴転送処理部（制御経歴転送処理部３０３）と、機器制御適用部（機器制御適用部３０７）とを備えるエネルギー管理装置である。制御経歴転送処理部（制御経歴転送処理部３０３）は、当該第２のエネルギー管理装置の前記建物（第２の建物１１ｂ）外で、かつ、隣接する他の建物（第１の建物１１ａ）内でのエネルギーの需給を管理する第１のエネルギー管理装置（第１のエネルギー管理装置１０１ａ）から最適消費エネルギーパターン（最適消費エネルギーパターン８１０ｈ）を受信する。機器制御適用部（機器制御適用部３０７）は、受信された前記最適消費エネルギーパターンに含まれた機器プロファイル（機器プロファイル５１０）が有する、当該第２のエネルギー管理装置（第２のエネルギー管理装置１０１ｂ）の機器プロファイルと比較した類似度が、所定以上の類似度（後で詳述される）であり、かつ、受信された前記最適消費エネルギーパターンが、当該第２のエネルギー管理装置の有している（第２のエネルギー管理装置で作成された）最適消費エネルギーパターンと比較して、所定基準（例えば、基準＜１＞〜＜４＞での、優劣の基準）に基づいて、より優れる（と判定される）場合に、受信された前記最適消費エネルギーパターンを、当該第２のエネルギー管理装置の前記建物内での各エネルギー機器の運転の参考計画として受け入れ、実施する。
【００２０】
なお、前記所定基準により評価される前記量は、比較的長い前記第２の時間単位よりも短い第１の時間単位での消費エネルギーの総量、又は、前記第２時間単位でのＣＯ２総排出相当量でもよい。なお、これらの量から算出される算出量が評価されてもよい。評価されるとは、つまり、例えば、その量（算出量）から、その量の評価値であって、他の評価値との間の差により、他の評価値の量と、その量との間の優劣が示される評価値を算出することである。
【００２１】
そして、例えば、最適と評価されるとは、上記された、複数の消費エネルギー経歴のうちで最も評価が高いことである。例えば、消費エネルギーの総量が最も少ないと評価されることである。
【００２２】
また、例えば、一方の機器プロファイルが、他方の機器プロファイルに対して有する類似度が、所定以上の類似度であるとは、一方の機器プロファイルが、後述される、第１の機器プロファイルと、第２の機器プロファイルとのうちの、第１の機器プロファイルであることでもよい。ここで、第１の機器プロファイルとは、当該第１の機器プロファイルが含まれる最適消費エネルギーパターンでの制御が、他方の機器プロファイルを有する第２のエネルギー管理装置において可能である機器プロファイルである。第２の機器プロファイルは、当該第１の機器プロファイルが含まれる最適消費エネルギーパターンでの制御が、他方の機器プロファイルを有する第２のエネルギー管理装置において可能ではない機器プロファイルである。
【００２３】
より具体的には、所定以上の類似度であるとは、一方の機器プロファイルが、他方の機器プロファイルと同一であることなどをいう。
【００２４】
つまり、例えば、同一の機器プロファイルが含まれる最適消費エネルギーパターンでの制御は可能である一方で、同一ではない機器プロファイルが含まれる最適消費エネルギーパターンでの制御は、可能ではなくてもよい。
【００２５】
以下、詳しく説明される。
【００２６】
図１は、実施形態の複数の建物が、任意の２つの建物（例えば２つの家）の場合における、２つの建物のうちの一方の建物Ａ（第１の建物１１ａ）から、他方の建物Ｂ（第２の建物１１ｂ）へ、最適省エネ制御経験（最適省エネ制御経験情報）を伝授する、全体的な処理の概要を示す。以下、エネルギー管理装置１０１と、システム１の構成、及び、各構成部の詳細処理を開示する。なお、最適省エネ制御経験情報については、適宜、単に制御経験と略称される。他の種類の経験情報についても、この例と同様に、適宜略称される。
【００２７】
（１）エネルギー管理装置の構成
図２は、エネルギー管理装置１０１の内部構成を示す図である。
【００２８】
システム１は、第１のエネルギー管理装置１０１ａと、第２のエネルギー管理装置１０１ｂとの２つのエネルギー管理装置１０１を含む（図１、１１など）。
【００２９】
エネルギー管理装置１０１（図２）は、主に、ＣＰＵ２０１、記憶部２０２と通信Ｉ／Ｆ（interface）２０３から構成される。
【００３０】
ＣＰＵ２０１には、機器情報処理部３０１、機器運転処理部３０２、制御経歴転送処理部３０３、ユーティリティ情報処理部３０４、消費エネルギー経歴管理部３０５、制御経歴処理部３０６、機器制御適用部３０７が含まれる。つまり、例えば、ＣＰＵ２０１により、これら機器情報処理部３０１等の各機能ブロックの機能が実現される。
【００３１】
記憶部２０２には、機器消費エネルギー情報保存部３１１が含まれる。
【００３２】
通信Ｉ／Ｆ２０３には、第１通信部３２１、第２通信部３２２、第３通信部３２３が含まれる。
【００３３】
なお、エネルギー管理装置１０１の一部又は全部は、例えば、ＣＰＵ２０１、記憶部２０２等を含んだコンピュータでもよい。そして、機器情報処理部３０１等のそれぞれの機能ブロックは、このコンピュータによりプログラムが実行されることにより、エネルギー管理装置１０１に実現されてもよい。なお、機器情報処理部３０１は、ＣＰＵ２０１の機能と共に、記憶部２０２などの他の機能が用いられることにより、エネルギー管理装置１０１に実現されてもよい。機器情報処理部３０１以外の他の機能ブロックについても、同様である。
【００３４】
機器情報処理部３０１は、第１通信部３２１を用いて、当該エネルギー管理装置１０１が設けられた建物（図１５の対象建物１１ｘ（図１の建物Ａ又は建物Ｂ））中の機器（図１５の対象機器１２ｘ（図１の機器１２ａ又は機器１２ｂ））の固有情報（機器情報）を収集する。そして、機器情報処理部３０１は、収集された固有情報を、機器消費エネルギー情報保存部３１１に保存する。なお、この処理は、例えば、エネルギー管理装置１０１をシステム初期化する際に、あるいは新しい機器が増設された際に行われる。
【００３５】
機器運転処理部３０２は、主に２つ機能をもつ。
【００３６】
１つ目は、当該エネルギー管理装置１０１の建物（対象建物１１ｘ）の機器（対象機器１２ｘ）の運転情報を収集する機能である。
【００３７】
そして、２つ目は、当該機器（対象機器１２ｘ）に対して最適制御を行う機能である。
【００３８】
制御経歴転送処理部３０３は、エネルギー管理装置１０１以外の他のエネルギー管理装置１５３（図１５）から当該エネルギー管理装置１０１に送信された、図８に示すような最適消費エネルギーパターン８１０を、制御経歴処理部３０６に渡す。
【００３９】
なお、他のエネルギー管理装置１５３が有する、エネルギー管理装置１０１の第２通信部３２２と同様の通信部経由で、この送信がされてもよい。
【００４０】
また、制御経歴転送処理部３０３は、転送が必要と、制御経歴処理部３０６により指示された場合には、当該エネルギー管理装置１０１に送信された、上述の最適消費エネルギーパターン８１０を、上述された他のエネルギー管理装置１５３とは別の、他のエネルギー管理装置１５４（図１５）に転送する。
【００４１】
ユーティリティ情報処理部３０４は、ユーティリティ会社１１Ｕ（図３、ユーティリティ会社１１Ｕのサーバ１１Ｕｓ）から、第３通信部３２３経由で当該エネルギー管理装置１０１に送信された、図７に示すようなユーティリティ情報７１０を受信する。そして、ユーティリティ情報処理部３０４は、受信されたユーティリティ情報７１０を、消費エネルギー経歴管理部３０５に提供する。
【００４２】
消費エネルギー経歴管理部３０５は、機器運転処理部３０２からの機器運転経歴（先述）と、ユーティリティ情報処理部３０４からのユーティリティ情報（上述）とを基に、図６に示すような消費エネルギー経歴プロファイル（消費エネルギー経歴）６１０を作成する。そして、消費エネルギー経歴管理部３０５は、作成された消費エネルギー経歴プロファイル６１０を、機器消費エネルギー情報保存部３１１に保存する。
【００４３】
制御経歴処理部３０６は、２つ機能を有する。
【００４４】
１つ目の機能では、制御経歴処理部３０６は、制御経歴転送処理部３０３から渡される、他のエネルギー管理装置１５３からの最適消費エネルギーパターン８１０（先述）と同様な最適消費エネルギーパターン８１０についての処理を行う。つまり、制御経歴処理部３０６は、同様である最適消費エネルギーパターン８１０が、当該エネルギー管理装置１０１の機器消費エネルギー情報保存部３１１に存在するか否かを判断する。また、制御経歴処理部３０６は、存在する場合には、送信された最適消費エネルギーパターン８１０の方が、より優れるか否かを判断する。そして、制御経歴処理部３０６は、存在しないと判断されるか、又は、送信された最適消費エネルギーパターン８１０の方が、より優れると判断される場合には、送信された最適消費エネルギーパターン８１０を、追加保存又は更新する。そして、制御経歴処理部３０６は、存在しない、又は、より優れるとの判断がされたこの場合においては、当該エネルギー管理装置１０１の制御経歴転送処理部３０３に、受信された最適消費エネルギーパターン８１０の、他のエネルギー管理装置１５４（先述）への転送を指示する。なお、ここで、最適消費エネルギーパターン８１０が同様であるとは、例えば、含まれる機器プロファイル５１０が同じであることなどをいう。
【００４５】
２つ目の機能では、制御経歴処理部３０６は、機器消費エネルギー情報保存部３１１に、当該エネルギー管理装置１０１の建物（対象建物１１ｘ）の機器（対象機器１２ｘ）に関する消費エネルギー経歴プロファイル６１０が更新された際の処理を行う。つまり、制御経歴処理部３０６は、この更新がされた際に、更新後の消費エネルギー経歴プロファイル６１０が、当該エネルギー管理装置１０１で生成された各消費エネルギー経歴プロファイル６１０のうちで、最適な消費エネルギー経歴プロファイル６１０であるか否かを判断する。そして、制御経歴処理部３０６は、最適な消費エネルギー経歴プロファイル６１０であると判断される場合には、最適との判断がされた消費エネルギー経歴プロファイル６１０が含まれる最適消費エネルギーパターン８１０を、機器消費エネルギー情報保存部３１１に保存する。
【００４６】
機器制御適用部３０７は、機器消費エネルギー情報保存部３１１に記憶される最適消費エネルギーパターン８１０に基づく処理を行う。つまり、機器制御適用部３０７は、記憶される最適消費エネルギーパターン８１０が、他のエネルギー管理装置１５３から受信された、新しい最適消費エネルギーパターン８１０に更新された際に、次の処理をする。その処理では、機器制御適用部３０７は、更新後の最適消費エネルギーパターン８１０が、自分の建物（対象建物１１ｘ）の機器（対象機器１２ｘ）に適用できるか否かを判断する。そして、その処理では、機器制御適用部３０７は、適用可能と判断される場合には、機器運転処理部３０２経由で、機器（対象機器１２ｘ）に対して、更新後の、受信された最適消費エネルギーパターン８１０による制御を行う。つまり、機器制御適用部３０７は、受信された最適消費エネルギーパターン８１０を参照した制御を行う。
【００４７】
図５は、機器プロファイルを示す図である。
【００４８】
機器消費エネルギー情報保存部３１１は、図５に示すような機器プロファイル５１０を保存する。
【００４９】
機器プロファイル５１０には、機器の数５１１、第１機器の情報５１２ａ、第２機器の情報５１２ｂなどの、各機器の固有情報（第１機器の情報５１２ａ〜第Ｎ機器の情報５１２ｚ）が含まれる。
【００５０】
第１機器の情報５１２ａ〜第Ｎ機器の情報５１２ｚのそれぞれは、具体的には、例えば、図５右欄に示される、機器の情報５１２である。
【００５１】
具体的な機器の情報５１２は、例えば、機器の種類５１２１（例えば冷暖房、冷蔵庫、洗濯・乾燥機、食洗機、テレビ、照明など）、機器の静的エネルギー消費特性５１２２（例えば定格消費電力、最小消費電力、最大消費電力など）、機器の省エネ制御特性５１２３（例えば省エネモードの有無、可能な消費電力の削減量など）を含む。
【００５２】
図６は、消費エネルギー経歴プロファイル６１０を示す図である。
【００５３】
また、機器消費エネルギー情報保存部３１１は、図６に示すような消費エネルギー経歴プロファイル６１０を保存する。
【００５４】
消費エネルギー経歴プロファイル６１０には、例えば、第２の時間区間６１１と、該当第２の時間区間６１１での消費エネルギー総量６１２と、消費エネルギーコスト６１３と、ＣＯ２排出相当量６１４とが含まれる。ここで、第２の時間区間６１１は、比較的長い第２の時間単位であり、例えば１日（２４時間）の時間区間である。
【００５５】
また、さらに、第１機器の運転経歴情報（運転経歴情報群）６１５ａ、第２機器の運転経歴情報６１５ｂなどの、各機器の運転経歴情報群（第１機器の運転経歴情報群６１５ａ〜第Ｎ機器の運転経歴情報群６１５ｚ）が含まれる。
【００５６】
なお、消費エネルギー経歴プロファイル６１０は、複数の第２の時間区間６１１のそれぞれについて、その第２の時間区間６１１に関する、これらの情報を保存してもよい。
【００５７】
それぞれの運転経歴情報群（例えば、第１機器の運転経歴情報群６１５ａ）は、その運転経歴情報群の機器についての、１以上の運転経歴情報６１５（図６右欄）を含む。
【００５８】
具体的な機器の運転経歴情報６１５（図６右欄）は、例えば、機器の運転時間区間（第１の時間区間）６１５１、機器の運転モード６１５２、機器の消費エネルギー量６１５３、機器のＣＯ２排出相当量６１５５、機器のエネルギー利用効率６１５６を含む。
【００５９】
なお、第１の時間区間６１５１は、先述された第２の時間区間６１１（図６左欄）の時間単位よりも短い時間単位の長さの時間区間である。そして、第１の時間区間６１５１は、その第１の時間区間６１５１の運転経歴情報６１５が含まれる運転経歴情報群が含まれる消費エネルギー経歴プロファイル６１０に含まれる第２の時間区間６１１の期間の一部よりなる期間である。
【００６０】
そして、第１の時間区間６１５１は、例えば、その第１の時間区間６１５１の運転経歴情報６１５が含まれる運転経歴情報群に含まれる、何れの他の運転経歴情報６１５の第１の時間区間６１５１とも相違する時間区間である。
【００６１】
なお、エネルギー利用効率６１５６（図６右欄）は、例えば、いわゆるＣＯＰ（Coefficient of Performance）でもよい。
【００６２】
図７は、ユーティリティ情報を示す図である。
【００６３】
ユーティリティ情報７１０は、先述のように、ユーティリティ会社１１Ｕ（図３）から受信され、消費エネルギー経歴管理部３０５により保存される。
【００６４】
そして、例えば、ユーティリティ情報７１０は、図７に示されるように、時間別電力単価７１１と、単位電力のＣＯ２排出相当量７１２とを含む。
【００６５】
図８は、最適消費エネルギーパターン８１０を示す図である。
【００６６】
また、機器消費エネルギー情報保存部３１１は、図８に示すような最適消費エネルギーパターン８１０を保存する。
【００６７】
例えば、図示されるように、最適消費エネルギーパターン８１０には、最適基準８１１、機器プロファイル５１０、消費エネルギー経歴プロファイル６１０が含まれる。
【００６８】
なお、最適消費エネルギーパターン８１０は、１セットの、機器プロファイル５１０（図５）及び、その機器プロファイル５１０に対応する（その機器プロファイル５１０の機器の）消費エネルギー経歴プロファイル６１０（図６）を含んでもよい。
【００６９】
なお、最適消費エネルギーパターン８１０は、例えば、１セットだけでなく、複数セットのデータを含んでもよい。
【００７０】
つまり、最適消費エネルギーパターン８１０は、互いに異なる複数の機器プロファイル５１０が含まれ、それら複数の機器プロファイル５１０に対応する、複数セットのデータを含んでもよい。
【００７１】
なお、最適基準８１１についても、それぞれの最適基準８１１が、複数のセットのそれぞれに対応する、複数の最適基準８１１が含まれてもよい。
【００７２】
図９は、使用環境プロファイル９１０を示す図である。
【００７３】
使用環境プロファイル９１０は、例えば、機器プロファイル５１０（図５）に含まれてもよい。
【００７４】
そして、使用環境プロファイル９１０は、図９に示されるように、例えば、建物プロファイル９１１と、使用者プロファイル９１２と、天候情報９１３とを含む。
【００７５】
ここで、図９右欄に示されるように、建物プロファイル９１１は、例えば、建物位置９１１１と、建物構造９１１２と、建物サイズ９１１３とを含む。
【００７６】
また、使用者プロファイル９１２は、例えば、使用者数９１２１と、使用時間帯９１２２と、使用者特徴９１２３とを含む。
【００７７】
また、天候情報９１３は、例えば、温度９１３１と、湿度９１３２とを含む。
【００７８】
第１通信部３２１は、有線方式又は無線方式を用いて、当該エネルギー管理装置１０１が設けられた対象建物１１ｘ（図１５）の機器（対象機器１２ｘ（図１５））との通信を行う。そして、第１通信部３２１は、この通信によって、通信する相手の機器の固有情報を収集したり、その機器の運転情報を収集したり、その機器に対する制御を行ったりする。
【００７９】
第２通信部３２２は、当該エネルギー管理装置１０１が設けられた対象建物１１ｘ以外の他の建物における、他のエネルギー管理装置（他のエネルギー管理装置１５２〜他のエネルギー管理装置１５４（図１５））との通信を行う。そして、第２通信部３２２は、この通信を行うことにより、最適消費エネルギーパターンに関する情報交換を実現する。
【００８０】
なお、第１の通信部３２１〜第３の通信部３２３のそれぞれは、その通信部の通信を用いる他の機能ブロック（機器情報処理部３０１等）による指示を受けることにより、その通信部の通信を行う。なお、例えば、他の機能ブロックは、この指示により、当該通信部を用いて、その通信を行う。
【００８１】
なお、管理サーバ（例えば、図４の管理サーバ１１Ｍ）が存在する場合には、第２通信部３２２は、当該管理サーバとの通信を行い、最適消費エネルギーパターンに関する情報交換を実現する。
【００８２】
第３通信部３２３は、ユーティリティ会社（図３、図４のユーティリティ会社１１Ｕなど）の機器（図３、図４のサーバ１１Ｕｓなど）との通信を行い、電力単価などの情報を取得する。
【００８３】
なお、第１のエネルギー管理装置１０１ａ及び第２のエネルギー管理装置１０１ｂのそれぞれ（図１、図１０、図１１）は、例えば、何れも、このようなエネルギー管理装置１０１であり、上述された、エネルギー管理装置１０１の機能のうちの全部を有する（図１０参照）。
【００８４】
なお、第１のエネルギー管理装置１０１ａ及び第２のエネルギー管理装置１０１ｂのそれぞれは、エネルギー管理装置１０１の機能の一部のみを有してもよい。この点については、後で、詳述される（図１１〜図１４等）。
【００８５】
（２）システム構成
図３は、図１で示されるような処理を実現するための、システム１の構成の概要を示す図である。
【００８６】
例えば、建物Ａの中において、第１のエネルギー管理装置１０１ａ（図１参照）と、機器（機器１２ａ）との間が、内部通信ネットワーク１０２ａによって接続されている。また、例えば、前述のように、第１のエネルギー管理装置１０１ａは、当該第１のエネルギー管理装置１０１ａの第１通信部３２１を用いて、内部通信ネットワーク１０２ａに接続されている、建物Ａの機器（機器１２ａ）と通信を行う。
【００８７】
なお、機器の種類等によっては、その種類の機器が、第１のエネルギー管理装置１０１ａの第１通信部３２１のような通信部を備えていなくてもよい。つまり、機器は、そのような種類の場合には、図示しない、当該機器のエージェントを介して、内部通信ネットワーク１０２ａに接続してもよい。
【００８８】
また、機器の運転情報の収集に当たって、図示しないセンサーやメータを使った場合、採取された情報が、該当センサーやメータから、内部通信ネットワーク１０２ａ経由で、第１のエネルギー管理装置１０１ａに送信されてもよい。
【００８９】
なお、建物Ｂにおいても、これらの点について、それぞれ、建物Ａと同様である（図３における第２のエネルギー管理装置１０１ｂ、機器１２ｂ、内部通信ネットワーク１０２ｂなどを参照）。
【００９０】
建物Ａ及び建物Ｂ間では、第１のエネルギー管理装置１０１ａ及び第２のエネルギー管理装置１０１ｂが、外部通信ネットワーク１０３によって互いに接続されている。そして、そのように互いに接続されている環境の中で、エネルギー管理装置同士（第１のエネルギー管理装置１０１ａ及び第２のエネルギー管理装置１０１ｂ）が、次の処理を行う。つまり、その処理とは、それぞれのエネルギー管理装置の第２通信部３２２（図２）を用いて、最適消費エネルギーパターン８１０、すなわち、最適消費エネルギーパターン８１０に含まれる最適省エネ制御経験（消費エネルギー経歴プロファイル６１０）の伝授・拡散を行う処理である。
【００９１】
それぞれの建物（エネルギー管理装置）と、ユーティリティ会社１１Ｕ（サーバ１１Ｕｓ）との間は、外部通信ネットワーク１０４で接続されている。
【００９２】
そして、この外部通信ネットワーク１０４を経由して、ユーティリティ会社１１Ｕからの、電力単価などの情報が、所定時間間隔で、サーバ１１Ｕｓ等により、配信される。具体的に、電力単価などの情報は、それぞれの建物に設置されている、図示しないスマートメータ（Ｓｍａｒｔ  Ｍｅｔｅｒ）に送信されてもよい。このような、電力単価などの情報がスマートメータへと送信される場合には、それぞれのエネルギー管理装置は、そのエネルギー管理装置が設けられた建物（対象建物１１ｘ（図１５））のスマートメータから、電力単価などの情報を受け取ればよい。
【００９３】
例えば、こうして、サーバ１１Ｕｓにより、情報が、それぞれのエネルギー管理装置に配信される。
【００９４】
なお、具体的には、例えば、外部通信ネットワーク１０３は、ネイバーエリアネットワーク（ＮＡＮ：Neighbor Area Network）などでもよい。ここで、ネイバーエリアネットワークは、具体的には、例えば、ＩＥＥＥ８０２．１５．４又はＺｉｇｂｅｅにより実現されたネットワークでもよい。また、内部通信ネットワーク（内部通信ネットワーク１０２ａ等）は、具体的には、例えば、ホームエリアネットワーク（ＨＡＮ：Home Area Network）でもよいし、ＬＡＮ（Local Area Network）などでもよい。
【００９５】
図４は、管理サーバ１１Ｍのある場合のシステム１（システム１ａ）の構成の概要を示す図である。
【００９６】
図４の例においては、互いに遠く離れた、複数の建物の間で、管理サーバ１１Ｍと、外部通信ネットワーク１０５とを介して、最適消費エネルギーパターン８１０、すなわち、最適省エネ制御経験の伝授・拡散を、迅速で効率的に行う。なお、建物Ａ及び建物Ｂは、互いに遠く離れていてもよいし、ある程度離れているだけなど、他の形態を有してもよい。つまり、一方の建物が、他方の建物の位置の、予め定められた近傍領域（近隣の領域）にあればよい。また、管理サーバ１１Ｍは、エネルギー管理装置１０１により保存される種類と同等以上に多くの種類の、機器プロファイル５１０、消費エネルギー経歴プロファイル６１０、最適消費エネルギーパターン８１０を保存する。つまり、管理サーバ１１Ｍは、この保存をすることにより、新規設置された建物（例えば、建物Ｂ）のエネルギー管理装置（第２のエネルギー管理装置１０１ｂ）への、初期用省エネ制御経験を適切に伝授することができる。また、例えば、管理サーバ１１Ｍは、エネルギー管理装置１０１（図２）のＣＰＵ２０１に含まれた機能処理部の一部を備えてもよい。つまり、例えば、管理サーバ１１Ｍは、エネルギー管理装置１０１の一部の機能、具体的には、例えば、消費エネルギー経歴管理部や制御経歴処理部の機能などの処理を、エネルギー管理装置１０１に代行してもよい。
【００９７】
システム１は、より具体的には、例えば、このようなシステム１ａでもよい。
【００９８】
（３）機器情報管理
エネルギー管理装置１０１において、機器情報に対する管理では、図５に示す機器プロファイル５１０の形で、機器情報を管理する。機器（図１５の対象機器１２ｘ）を増設したり、撤去したりする際に、機器情報処理部３０１は、機器プロファイル５１０（図５）に対して、増設等がされる該当機器の情報エントリー（例えば、図５における、第１機器の情報５１２ａ）を追加したり削除したりする。
【００９９】
また、エネルギー管理装置１０１により制御される機器（対象機器１２ｘ（図１５））の中では、エネルギー需要機器のみならず、エネルギー蓄積機器があってもよい。例えば、蓄電池が、それらの複数の機器のうちの１つの機器として含まれてもよい。そして、例えば、この蓄電池が、電力単価が低い場合に、又は、単位電力のＣＯ２排出相当量が低い場合に、充電し、逆の場合には、放電する。なお、建物に設けられた複数のエネルギー需要機器の中では、電気機器のみならず、ガス機器を含んでもよい。その場合には、機器情報の管理で、管理される消費エネルギーの情報として、電気・ガスの両方ともの情報が含まれ、両方ともの情報を管理すればよい。
【０１００】
なお、ＣＯ２排出相当量とは、機器の動作により排出されたとみなすことが相当である排出量、例えば、その動作での電力の発電により、発電所等で発生するＣＯ２の量などを含んだ、その動作による、ＣＯ２の排出量である。
【０１０１】
（４）最適省エネ制御経験抽出
エネルギー管理装置１０１の建物（対象建物１１ｘ）における、複数の消費エネルギー経歴（消費エネルギー経歴プロファイル）６１０から、最適省エネ制御経験（最適な消費エネルギー経歴６１０）を抽出するに当たって、例えば、下記４つの基準（＜１＞〜＜４＞）の何れかに基づいて、抽出を行う。
【０１０２】
なお、例えば、抽出の対象の複数の消費エネルギー経歴６１０のうちのそれぞれについて、次の通りでもよい。つまり、例えば、それぞれの、抽出の対象の消費エネルギー経歴６１０の第２の時間区間６１１（図６）が、抽出の対象の第２の時間区間と同じでもよい。そして、かつ、その消費エネルギー経歴６１０の消費エネルギー総量６１２が、抽出の対象の消費エネルギー総量と同じでもよい。つまり、抽出の対象の複数の消費エネルギー経歴６１０は、例えば、１以上の個数の、このような消費エネルギー経歴６１０である。
【０１０３】
なお、例えば、それぞれの、抽出の対象の第２の時間区間と、抽出の対象の消費エネルギー総量との組について、その組の第２の時間区間及び消費エネルギー総量を有する１以上の消費エネルギー経歴６１０の中から、消費エネルギー経歴６１０が抽出されてもよい。
【０１０４】
基準＜１＞〜基準＜４＞のそれぞれの基準は、その基準で抽出される消費エネルギー経歴６１０が、次の通りである基準である。
【０１０５】
つまり、基準＜１＞では、抽出の対象の第２の時間区間と同じ第２の時間区間６１１の１以上の消費エネルギー経歴６１０のうちにおいて、消費エネルギー経歴プロファイル６１０が抽出される。そして、抽出される消費エネルギー経歴プロファイル６１０の消費エネルギー総量６１２が、対象の消費エネルギー総量と同等である。そして、抽出される消費エネルギー経歴プロファイル６１０の、小さい第１の時間区間のピーク消費エネルギー（後述）が、最小レベルである。ここで、第２の時間区間６１１は、比較的長い第２の時間単位であり、例えば１日（２４時間）である。第１の時間区間は、第２の時間単位より短い第１の時間単位であり、例えば１分間である。
【０１０６】
なお、より具体的には、例えば、それぞれの消費エネルギー経歴６１０について、次の算出が行われてもよい。つまり、その算出の処理の対象の消費エネルギー経歴６１０の第２の時間区間６１１に含まれる、それぞれの第１の時間区間について、次の算出が行われてもよい。すなわち、それぞれの第１の時間区間について、その第１の時間区間における複数の運転経歴情報６１５の消費エネルギー量６１５３の合計が算出されてもよい。そして、算出される合計が最大である第１の時間区分での、算出された当該合計が、その消費エネルギー経歴６１０の、上記ピーク消費エネルギーと特定されてもよい。そして、このような、特定されるピーク消費エネルギーが最小レベルである消費エネルギー経歴プロファイル６１０が抽出されてもよい。
【０１０７】
そして、基準＜２＞では、次の通りでもよい。つまり、抽出の対象の第２の時間区間と同じ第２の時間区間６１１（例えば１日２４時間）の１以上の消費エネルギー経歴６１０が考えられる。そして、この１以上の消費エネルギー経歴６１０のうちにおいて、それらのうちの一部である、消費エネルギー総量６１２が、対象の消費エネルギー総量と同等である１以上の消費エネルギー経歴６１０（上述）が考えられる。つまり、消費エネルギー総量６１２が同等である、それらの１以上の消費エネルギー経歴６１０の中で、含まれる消費エネルギーコスト６１３（図６）が最小レベルな、消費エネルギー経歴６１０が抽出されてもよい。
【０１０８】
そして、基準＜３＞では、次の通りでもよい。つまり、同じ第２の時間区間において、消費エネルギー総量６１２が同等である１以上の消費エネルギー経歴６１０（上述）が考えられる。そして、これらの１以上の消費エネルギー経歴６１０の中で、ＣＯ２排出相当量６１４（図６）が最小レベルな、消費エネルギー経歴６１０が抽出されてもよい。
【０１０９】
そして、基準＜４＞では、次の通りでもよい。つまり、同じ第２の時間区間において、消費エネルギー総量６１２が同等である１以上の消費エネルギー経歴６１０（上述）が考えられる。これらの１以上の消費エネルギー経歴６１０の中で、その消費エネルギー総量６１２にかかる全ての機器の平均エネルギー利用効率（後述）が最大な消費エネルギー経歴６１０が抽出されてもよい。ただし、上述された平均エネルギー利用効率の算式は、例えば、次の通りでもよい。つまり、図６に示される、消費エネルギー総量６１２と、その消費エネルギー経歴６１０における、それぞれの機器（それぞれの運転経歴情報群、運転経歴情報６１５）における消費エネルギー量（消費エネルギー量６１５３参照）及びエネルギー利用効率（エネルギー利用効率６１５６参照）とについて、次の通りでもよい。すなわち、その算式は、例えば、それらからの算出がされる、次の算式「（機器１の消費エネルギー量×機器１の消費エネルギー利用効率＋機器２の消費エネルギー量×機器２の消費エネルギー利用効率＋・・・）／消費エネルギー総量」でもよい。
【０１１０】
実際に、これらの基準＜１＞〜＜４＞のうちのどれを、利用する基準として選択するかは、例えば、システム設定又は使用者の選択により決める。
【０１１１】
なお、管理サーバ１１Ｍのあるシステム１ａ（図４）の場合には、例えば、次の通りである。つまり、この管理サーバ１１Ｍが、シミュレーションにより、上記の何れかの基準に従って、最適省エネ制御方法を算出してもよい。そして、最適省エネ制御経験の参考として使われてもよい。
【０１１２】
なお、こうして、制御経歴処理部３０６は、最適な消費エネルギー経歴６１０（最適省エネ制御経験）を抽出することにより、抽出された最適省エネ制御経験が含まれる最適消費エネルギーパターン８１０を作成する。
【０１１３】
（５）最適省エネ制御経験転送
第１のエネルギー管理装置１０１ａにおいては、最適省エネ制御経験（消費エネルギー経歴６１０）を抽出した後に（図１のＳａ１、Ｓａ３ｘ（Ｓａ２、Ｓａ３）、Ｓａ４）、次の処理を行う。つまり、その処理は、抽出された消費エネルギー経歴６１０を、当該第１のエネルギー管理装置１０１ａの記憶部２０２（図２、図１０）に保存する処理である。そして、これと共に、第１のエネルギー管理装置１０１ａは、保存された消費エネルギー経歴６１０が含まれる最適消費エネルギーパターン８１０を、近隣の第２のエネルギー管理装置１０１ｂ（図１５の他のエネルギー管理装置１５２）に送信する（Ｓａ５）。なお、具体的には、送信されるデータは、例えば、図８に示す、抽出された消費エネルギー経歴６１０から作成された、その消費エネルギー経歴６１０が含まれる最適消費エネルギーパターン８１０である。
【０１１４】
近隣の第２のエネルギー管理装置１０１ｂは、次の処理をする。つまり、その処理では、当該第２のエネルギー管理装置１０１ｂの記憶部２０２（図２、図１０）における、次のような最適消費エネルギーパターン８１０の有無を確認する。つまり、第１のエネルギー管理装置１０１ａ（他のエネルギー管理装置１５３）により送信された最適消費エネルギーパターン８１０の機器プロファイル５１０がある。そして、上述の処理では、その機器プロファイル５１０と同様な機器プロファイル５１０を有する最適消費エネルギーパターン８１０があるか否か（有無）を確認する（Ｓｂ２（Ｓｂ１及びＳｂ２））。そして、あると確認された場合には、例えば、最適基準により、次の判断をする。その判断とは、第２のエネルギー管理装置１０１ｂの有している最適消費エネルギーパターン８１０よりも、受信された最適消費エネルギーパターン８１０の方が優れているか否かの判断（Ｓｂ３（Ｓｂ４ｘ））である。そして、優れていると判断された場合には、第２のエネルギー管理装置１０１ｂの有している最適消費エネルギーパターンを、受信された最適消費エネルギーパターンに取り替える（Ｓｂ４（Ｓｂ４ｘ））。この取り替えがされることにより、機器１２ｂに対して、受信された最適消費エネルギーパターンでの制御が行われる。
【０１１５】
第２のエネルギー管理装置１０１ｂは、受信された最適消費エネルギーパターンの方が優れるとの判断がされた場合には、この取り替えと同時に、次の動作をする。つまり、その動作とは、受信された最適消費エネルギーパターン８１０を、他の近隣の、第１及び第２のエネルギー管理装置１０１ａ、１０１ｂ以外のその他のエネルギー管理装置１０１ｅ（図１１、図１５のエネルギー管理装置１５４）に転送する動作である。
【０１１６】
そして、第２のエネルギー管理装置１０１ｂは、当該第２のエネルギー管理装置１０１ｂの有している最適消費エネルギーパターンの方が優れていると判断された場合には、このような、最適消費エネルギーパターンの取り替えも、他の近隣のエネルギー管理装置への転送も、何れも行わない。
【０１１７】
（６）最適省エネ制御経験適用
そして、第１のエネルギー管理装置１０１ａは、最適省エネ制御経験（消費エネルギー経歴６１０）を抽出した場合、抽出された最適省エネ制御経験に基づいて、この抽出の後に、制御を行う。行われる制御は、建物Ａ（第１のエネルギー管理装置１０１ａの対象建物１１ｘ）の機器（図１５の対象機器１２ｘ）に対しての制御である。
【０１１８】
一方、近隣の第２のエネルギー管理装置１０１ｂは、当該第２のエネルギー管理装置１０１ｂでの機器プロファイル５１０と同様な機器プロファイル５１０を有する最適消費エネルギーパターン８１０を受信する。そして、第２のエネルギー管理装置１０１ｂは、受信された当該最適消費エネルギーパターン８１０の方が、最適基準により、当該第２のエネルギー管理装置１０１ｂの有している最適消費エネルギーパターン８１０に比較し、優れていると判断した場合に、次の処理をする。行われる処理は、受信されたこの最適消費エネルギーパターン８１０（に含まれた消費エネルギー経歴プロファイル６１０）を参照して行われる処理である。つまり、その処理は、この参照をして、当該第２のエネルギー管理装置１０１ｂの機器（機器１２ｂ、第２のエネルギー管理装置１０１ｂの対象機器１２ｘ）に対して、制御を行う（Ｓｂ４（Ｓｂ４ｘ））処理である。
【０１１９】
なお、第２のエネルギー管理装置１０１ｂは、機器（機器１２ｂ）に対して、受信された最適消費エネルギーパターン８１０を参照した制御を実施する前に、次の処理をしてもよい。つまり、その処理において、所定のユーザインタフェースを用いて、制御がされる機器の使用者の了承を得るようにしてもよい。
【０１２０】
図１０は、第１のエネルギー管理装置１０１ａと、第２のエネルギー管理装置１０１ｂとを示す図である。
【０１２１】
図１０に示されるように、第１のエネルギー管理装置１０１ａは、例えば、図２における第１のエネルギー管理装置１０１に示される各機能ブロックの全部を含んでもよい。また、第２のエネルギー管理装置１０１ｂも、例えば、図２における第２のエネルギー管理装置１０１に示される各機能ブロックの全部を含んでもよい（先述）。
【０１２２】
図１１は、第１のエネルギー管理装置１０１ａと、第２のエネルギー管理装置１０１ｂとを示す図である。
【０１２３】
図１２及び図１３のそれぞれは、第１のエネルギー管理装置１０１ａ（１０１ａ１、１０１ａ２）を示す図である。
【０１２４】
他方、図１１〜図１３に示されるように、第１のエネルギー管理装置１０１ａは、図１０における、当該第１のエネルギー管理装置１０１ａの各機能ブロックのうちの全部を含まなくてもよい。つまり、例えば、各機能ブロックのうちの一部のみを含んでもよい。
【０１２５】
図１４は、第２のエネルギー管理装置１０１ｂを示す図である。
【０１２６】
同様に、第２のエネルギー管理装置１０１ｂも、図１４に示されるように、図１０における、当該第２のエネルギー管理装置１０１ｂの各機能ブロックのうちの一部のみを含んでもよい。
【０１２７】
なお、このように実施形態の第２のエネルギー管理装置１０１ｂ（エネルギー管理装置１０１）は、次のように動作してもよい。具体的には、例えば、制御経歴転送処理部（制御経歴転送処理部３０３）は、当該第２のエネルギー管理装置１０１ｂの前記建物（第２の建物１１ｂ、対象建物１１ｘ）外で、かつ、隣接する他の建物（第１の建物１１ａ）内でのエネルギーの需給を管理する第１のエネルギー管理装置１０１ａ（他のエネルギー管理装置１５３：図１５）から、第１の外部通信ネットワーク（外部通信ネットワーク１０３）経由で当該第２のエネルギー管理装置１０１ｂに送信された最適消費エネルギーパターンを受信する。制御経歴処理部（制御経歴処理部３０６）は、受信された最適消費エネルギーパターンが、当該第２のエネルギー管理装置１０１ｂの有している最適消費エネルギーパターンと比較する。制御経歴処理部（制御経歴処理部３０６）は、所定基準に基づいて、より優れるかを判定する。より優れるとの判定がされた場合に、制御経歴転送処理部（制御経歴転送処理部３０３）は、受信された最適消費エネルギーパターンを、当該第２のエネルギー管理装置１０１ｂの建物（図３の第２の建物１１ｂ）と隣接する他の建物（図略）内の他のエネルギー管理装置（図１１のエネルギー管理装置１０１ｅ、図１５の他のエネルギー管理装置１５４）に転送する。
【０１２８】
さらに、具体的には、次のように実施してもよい。例えば、第２のエネルギー管理装置１０１ｂでは、機器制御適用部（機器制御適用部３０７）を備える（図１４参照）。制御経歴転送処理部は、第１のエネルギー管理装置１０１ａ（他のエネルギー管理装置１５３）から、機器プロファイルが含まれる最適消費エネルギーパターンを受信する。制御経歴処理部は、受信された最適消費エネルギーパターンに含まれる機器プロファイルが有する、当該第２のエネルギー管理装置１０１ｂの機器プロファイルと比較した類似度が、所定以上の類似度であり、かつ、受信された最適消費エネルギーパターンが、当該第２のエネルギー管理装置１０１ｂの有している最適消費エネルギーパターンと比較して、所定基準に基づいてより優れる場合に、第２の判定を行う。機器制御適用部は、当該第２の判定がされた場合に、受信された最適消費エネルギーパターンを、当該第２のエネルギー管理装置１０１ｂの建物（第２の建物１１ｂ）内でのエネルギー機器（機器１２ｂ：図３など）の運転の参考計画として受け入れる。
【０１２９】
また、第２のエネルギー管理装置１０１ｂでは、当該第２のエネルギー管理装置１０１ｂの建物（第２の建物１１ｂ）の構造とサイズと位置とを含む建物情報（建物プロファイル９１１：図９）と、温度と湿度とを含む天候情報（天候情報９１３：図９）と、当該建物内で使用されるエネルギー機器（機器１２ｂ）の使用者の数及び特徴の情報を含む使用者情報（使用者プロファイル９１２：図９）とにより、使用環境プロファイル（使用環境プロファイル９１０：図９）を作成し、作成された使用環境プロファイルを、送信された最適消費エネルギーパターンの機器プロファイルとは異なる方の、当該第２のエネルギー管理装置１０１ｂの（制御する機器１２ｂの）上述の機器プロファイルに追加する機器情報処理部（図１４の機器情報処理部３０１）を備えてもよい。制御経歴処理部は、第１のエネルギー管理装置１０１ａから送信された最適消費エネルギーパターンの機器プロファイルを、当該第２のエネルギー管理装置１０１ｂの当該機器プロファイルと比較する際に、２つの当該機器プロファイルの使用環境プロファイルの間の類似度に関しても、併せて比較し、使用環境プロファイルの上述の類似度が、所定以上の類似度である場合に限り、受信された最適消費エネルギーパターンを受け入れる判定を行ってもよい。
【０１３０】
なお、このような、第２のエネルギー管理装置１０１ｂの処理に対応する処理が、第１のエネルギー管理装置１０１ａにより行われてもよい。つまり、第１のエネルギー管理装置１０１ａ（図１２）が、第１の他のエネルギー管理装置１０１ｃ（図１２、他のエネルギー管理装置１５３）から受信された最適消費エネルギーパターン８１０を、第２の他のエネルギー管理装置１０１ｄ（他のエネルギー管理装置１５４）に転送してもよい。また、第１のエネルギー管理装置１０１ａ（図１２）が、第１の他のエネルギー管理装置１０１ｃ（図１２）から受信された当該最適消費エネルギーパターン８１０での制御を、第１の建物１１ａの機器１２ａに行ったり、使用環境プロファイル９１０の処理を行ったりしてもよい。
【０１３１】
なお、先述のように、基準としては、複数の基準（例えば、基準＜１＞〜＜４＞）が考えられる。つまり、第２のエネルギー管理装置１０１ｂで利用される第２の基準とは異なる第１の基準での抽出により、第１のエネルギー管理装置１０１ａで作成された最適消費エネルギーパターン８１０があってもよい。そして、この最適消費エネルギーパターン８１０が、第２のエネルギー管理装置１０１ｂに送信されてもよい。そして、第１のエネルギー管理装置１０１ａによって第１の基準を用いて抽出された最適消費エネルギーパターン８１０での制御が、第２のエネルギー管理装置１０１ｂにより行われてもよい。
【０１３２】
これにより、第２のエネルギー管理装置１０１ｂにより、第２の基準による抽出での制御だけでなく、第１のエネルギー管理装置１０１ａにおける第１の基準での抽出からの制御もされる。これにより、第２のエネルギー管理装置１０１ｂにより、より確実に、適切な制御ができる。
【０１３３】
また、複数の基準のそれぞれについて、その基準での抽出が第１のエネルギー管理装置１０１ａにより行われてもよい。そして、例えば、複数の基準での抽出からの複数の最適消費エネルギーパターン８１０が、第２のエネルギー管理装置１０１ｂに送信されてもよい。そして、それら複数の最適消費エネルギーパターン８１０のうちから、第２のエネルギー管理装置１０１ｂ等により、最適消費エネルギーパターン８１０が選択されてもよい。そして、選択された最適消費エネルギーパターン８１０での制御が、第２のエネルギー管理装置１０１ｂにより行われてもよい。
【０１３４】
これにより、第１のエネルギー管理装置１０１ａにより適切な基準が選択されなくても、適切な基準での最適消費エネルギーパターン８１０が選択され、適切な基準からの最適消費エネルギーパターン８１０による制御ができる。
【０１３５】
こうして、例えば、エネルギー管理装置１０１が設けられる建物（対象建物１１ｘ：図１５）に、エネルギー機器（対象機器１２ｘ）が設けられる。
【０１３６】
ここで、設けられるエネルギー機器は、具体的には、例えば、電力の発電を行う太陽光発電システム、電力の蓄電をする蓄電システム、熱を蓄熱する貯湯槽、熱を発生するヒートポンプ、電力を発電すると共に、熱を発生する燃料電池などである。つまり、設けられるエネルギー機器は、エネルギーを供給したり、供給されたり、消費したり、エネルギーを蓄積したりして、エネルギーを扱う機器である。
【０１３７】
そして、対象建物１１ｘに設けられるエネルギー機器は、通常、複数である。
【０１３８】
そして、エネルギー管理装置１０１により、対象建物１１ｘに設けられた、これら複数のエネルギー機器のそれぞれが制御される。つまり、エネルギー管理装置１０１は、例えば、ＨＥＭＳ（Home Energy Management System）における制御装置のうちの全部又は一部などである。
【０１３９】
そして、複数の建物（第１の建物１１ａ、第２の建物１１ｂ）のそれぞれに、機器（機器１２ａ、機器１２ｂ：図３参照）が設けられてもよい。そして、設けられた機器が、その機器の建物のエネルギー管理装置１０１（第１のエネルギー管理装置１０１ａ、第２のエネルギー管理装置１０１ｂ）により制御されてもよい。
【０１４０】
そこで、例えば、ある局面において、第１のエネルギー管理装置１０１ａにおいて、次の処理がされてもよい。
【０１４１】
つまり、制御経歴処理部３０６（図１１など参照）が、最適消費エネルギーパターン８１０（図８）を作成してもよい。そして、作成される最適消費エネルギーパターン８１０は、エネルギー機器の種類（機器の種類５１２１（図５）参照）と、その種類のエネルギー機器への、第２の制御内容よりも適切な第１の制御内容（運転経歴情報６１５）とをそれぞれ示してもよい。
【０１４２】
そして、制御経歴転送処理部３０３が、作成された最適消費エネルギーパターン８１０を、第２のエネルギー管理装置１０１ｂ（図１１など参照）に送信してもよい。
【０１４３】
他方、第２のエネルギー管理装置１０１ｂにおいて、ある局面において、例えば、次の処理がされてもよい。
【０１４４】
つまり、制御経歴転送処理部３０３が、第１のエネルギー管理装置１０１ａの制御経歴転送処理部３０３により送信された、上記の最適消費エネルギーパターン８１０を受信してもよい。
【０１４５】
そして、機器制御適用部３０７が、最適消費エネルギーパターン８１０が受信された場合に、受信された最適消費エネルギーパターン８１０により示される第１の制御内容での制御を、機器１２ｂに対して行い、第２の制御内容での制御はしなくてもよい。
【０１４６】
そして、より具体的には、最適消費エネルギーパターン８１０が受信された場合でも、受信された最適消費エネルギーパターン８１０により示される上記種類が、機器１２ｂの種類ではないときもあるし、機器１２ｂの種類であるときもある。機器制御適用部３０７は、例えば、この受信がされた場合でも、機器１２ｂの種類でないときには、第１の制御内容での制御を行わず、機器１２ｂの種類であるときには、その制御を行ってもよい。
【０１４７】
また、具体的には、例えば、最適消費エネルギーパターン８１０が受信された場合でも、最適消費エネルギーパターン８１０が受信された第１のエネルギー管理装置１０１ａの第１の建物１１ａの位置が、第２の建物１１ｂの近隣（近傍）の領域内ではないときもある。機器制御適用部３０７は、このときには、前記第１の制御内容での制御を行わず、第２の制御内容での制御を行ってもよい。
【０１４８】
また、制御経歴処理部３０６が、受信された最適消費エネルギーパターン８１０により示される、第１の建物１１ａの位置が、上記された、近隣の領域内か否かを判定してもよい。
【０１４９】
そして、機器制御適用部３０７が、近隣の領域内との判定がされない場合には、第１の制御内容の制御を行わず、第２の制御内容での制御をしてもよい。
【０１５０】
このように、エネルギー（の需給）を管理するとは、つまり、エネルギーを扱うエネルギー機器の動作を制御することでもよい。
【０１５１】
また、隣接するとは、一方の建物の領域と、他方の建物の領域とが接していることでもよいし、一方の領域の予め定められた近傍内に、他方の領域があることでもよい。
【０１５２】
また、消費されたエネルギーに関する消費エネルギー経歴とは、つまり、例えば、消費されたエネルギーを示す情報（消費エネルギー経歴）でもよい。
【０１５３】
また、例えば、第２時間単位でのＣＯ２総排出相当量とは、つまり、当該第２時間単位の各時刻のＣＯ２排出相当量の総量である。
【０１５４】
また、エネルギー管理装置の有している最適消費エネルギーパターンとは、つまり、例えば、当該エネルギー管理装置による制御による、対象機器１２ｘの運転がされることで作成された、当該エネルギー管理装置の最適消費エネルギーパターンである。
【０１５５】
また、管理サーバ１１Ｍは、つまり、例えば、第１のエネルギー管理装置１０１ａが第２のエネルギー管理装置１０１ｂに送信するデータ（例えば最適消費エネルギーパターン）を受信してもよい。そして、管理サーバ１１Ｍが、受信されたデータを保存してもよい。保存された当該データが、第２のエネルギー管理装置１０１ｂにより受信されてもよい。
【０１５６】
また、最適消費エネルギーパターンを受け入れ、実施するとは、つまり、例えば、当該最適消費エネルギーパターンを参照した制御を行うことであり、すなわち、当該最適消費エネルギーパターンにより示される制御内容での制御を行うことである。
【０１５７】
また、使用環境プロファイルの類似度の細かい点については、例えば、機器プロファイルの類似度における例と同様である。
【０１５８】
図１６は、本システム１の一例を示す図である。
【０１５９】
なお、第２のエネルギー管理装置１０１ｂ（エネルギー管理装置１０１）の制御経歴転送処理部は、複数のエネルギー管理装置１０１（例えば図１６の２つのエネルギー管理装置１０１ｈ、１０１ｉ）のうちから、当該第２のエネルギー管理装置１０１ｂの近傍領域１０１ｂＲ（図１６）内のエネルギー管理装置１０１（１０１ｈ）を、当該第１のエネルギー管理装置１０１ａにより送信される最適消費エネルギーパターン８１０を受信する、上述の第１のエネルギー管理装置１０１ａとして特定してもよい。そして、特定された第１のエネルギー管理装置１０１ａから、最適消費エネルギーパターン８１０ｈ（図１６）が受信されてもよい。
【０１６０】
なお、第２の建物１１ｂは、例えば、深夜などの夜間において営業する店舗が多く、夜間の消費電力が多い、繁華街などの商業地の建物であってもよい（図１６参照）。
【０１６１】
そして、第１の建物１１ａは、このような、第２の建物１１ｂの近傍領域１０１ｂＲ内（上記の商業地内）における、第２の建物１１ｂ以外の他の建物（建物１１ｈ参照）であってもよい。
【０１６２】
そして、第１の建物１１ａにおける第１のエネルギー管理装置１０１ａは、夜間の消費電力が多い建物、つまり、この商業地の建物（第１の建物１１ａ、第２の建物１１ｂなど）において、その制御内容による制御がされる場合に、第２の制御内容よりも適切である第１の制御内容を示す最適消費エネルギーパターン８１０（図１６の８１０ｈ参照）を送信してもよい。
【０１６３】
なお、例えば、第１のエネルギー管理装置１０１ａは、第１の建物１１ａにおいて比較的多く行われる制御の制御内容を、第１の制御内容として特定してもよい。より具体的には、例えば、このような、多く行われる制御内容は、第１の建物１１ａの住人の設定により指示されるなどで、第１の建物１１ａにおいて、多く行われてもよい。
【０１６４】
なお、制御内容とは、具体的には、例えば、動作モードや、動作時刻などの、エネルギー機器の動作の種類を特定する情報である。つまり、制御内容とは、さらに具体的には、例えば、公知の技術における、それらの情報でもよい。
【０１６５】
そして、第２のエネルギー管理装置１０１ｂにおいて、制御経歴処理部３０６が、当該第２のエネルギー管理装置１０１ｂが、第２の建物１１ｂに設置されたことを検知してもよい。具体的には、例えば、設置されたことを示す入力が、ユーザにより入力されてもよい。
【０１６６】
そして、制御経歴処理部３０６が、設置されたことが検知された場合に、設置された第２の建物１１ｂの位置（図１６参照）を特定してもよい。この特定は、具体的には、ユーザにより、その位置が入力されることにより行われてもよい。
【０１６７】
そして、制御経歴処理部３０６が、特定された位置の近傍領域を、当該第２の建物１１ｂの近傍領域１０１ｂＲ（図１６）として特定してもよい。この特定は、具体的には、例えば、位置と、その位置の近傍領域とを対応付けて記憶するサーバ（例えば図１６のサーバ１１ｂＳ）から、特定された位置に対応付けられた近傍領域のデータを取得することによって行われてもよい。なお、上述のサーバ１１ｂＳは、例えば、図３のサーバ１１Ｕｓなどでもよい。
【０１６８】
このように、例えば、近傍領域を特定するデータ（第２の建物１１ｂの位置）が、ユーザにより入力されてもよい。そして、この入力がされることにより、入力されたデータにより特定される近傍領域が、当該第２のエネルギー管理装置１０１ｂ（が設置された第２の建物１１ｂ）の近傍領域１０１ｂＲとして特定されてもよい。
【０１６９】
そして、制御経歴処理部３０６が、当該第２のエネルギー管理装置１０１ｂに対して、外部通信ネットワーク１０３により接続された複数のエネルギー管理装置１０１（例えば図１６における、一方のエネルギー管理装置１０１ｈ、及び、他方のエネルギー管理装置１０１ｉ）のうちから、特定された近傍領域１０１ｂＲ（繁華街の領域）の建物１１ａにおけるエネルギー管理装置１０１（１０１ｈ）を、第１のエネルギー管理装置１０１ａとして特定してもよい。つまり、近傍領域１０１ｂＲから比較的遠い、近傍領域１０１ｂＲの外部にある外部領域１０１ｉＲの建物１１ｉにおけるエネルギー管理装置１０１（１０１ｉ）は、第１のエネルギー管理装置１０１ａとして特定されなくてもよい。
【０１７０】
なお、例えば、当該第２のエネルギー管理装置１０１ｂの制御経歴処理部３０６が、接続された１以上のエネルギー管理装置１０１（１０１ｈ、１０１ｉ）のそれぞれから、接続された当該エネルギー管理装置１０１の位置を受信してもよい。そして、受信された位置が、特定された近傍領域１０１ｂＲ内か否かが判定されてもよい。そして、近傍領域１０１ｂＲ内と判定された場合に、接続された、その判定がされたエネルギー管理装置１０１（１０１ｈ）が、第１のエネルギー管理装置１０１ａと特定されてもよい。なお、エネルギー管理装置１０１（１０１ｈ、１０１ｉなど）から受信される位置は、そのエネルギー管理装置１０１により上記のサーバ１１ｂＳから受信された位置などでもよい。
【０１７１】
そして、機器制御適用部３０７が、特定された第１のエネルギー管理装置１０１ａ（１０１ｈ）から受信された最適消費エネルギーパターン８１０（図１６の８１０ｈ）により示される第１の制御内容での制御を行い、当該第１の制御内容とは異なる第２の制御内容の制御を行わなくてもよい。具体的には、例えば、示される第１の制御内容での制御が、比較的多く行われ、第２の制御内容での制御が比較的少なく行われてもよい。なお、第２の制御内容は、例えば、先述された、第１のエネルギー管理装置１０１ａと特定されなかった、外部領域１０１ｉＲにあるエネルギー管理装置１０１ｉにより生成される最適消費エネルギーパターン８１０（図１６の８１０ｉ）により示される制御内容などである。
【０１７２】
なお、上述の動作がされるのに際して、例えば、次の通りでもよい。
【０１７３】
つまり、上述の近傍領域１０１ｂＲは、例えば、その近傍領域１０１ｂＲにあるエネルギー管理装置１０１ｈにより生成される最適消費エネルギーパターン８１０ｈは、十分に適切である領域である。
【０１７４】
そして、近傍領域１０１ｂＲは、例えば、この近傍領域１０１ｂＲの外部にある外部領域１０１ｉＲにあるエネルギー管理装置１０１ｉにより生成される最適消費エネルギーパターン８１０ｉは、十分に適切ではない領域である。
【０１７５】
つまり、ここで、十分に適切であるとは、例えば、上述の第２のエネルギー管理装置１０１ｂにより用いられるのに際して十分に適切であることなどをいう。
【０１７６】
なお、本システム１が実施される際に、実験がされてもよい。そして、上述の近傍領域１０１ｂＲは、具体的には、例えば、その実験において、適切であることが確認された領域などでもよい。
【０１７７】
これにより、第２のエネルギー管理装置１０１ｂのユーザによる複雑な設定などがされなくても、第２のエネルギー管理装置１０１ｂにより、適切な消費エネルギーパターン８１０（図１６の消費エネルギーパターン８１０ｈ）に基づく制御がされる。これにより、簡単に、適切な制御ができる。
【０１７８】
しかも、この最適消費エネルギーパターン８１０ｈは、近傍領域１０１ｂＲ（繁華街の領域内など）で生成されたものであり、外部領域１０１ｉＲ（繁華街の外など）で生成される最適消費エネルギーパターン８１０ｉではなく、十分に適切である。これにより、より十分に適切な制御ができる。
【０１７９】
これにより、簡単に、適切な制御がされることと、行われる制御が十分適切であることとが両立できる。
【０１８０】
また、第１の建物１１ａだけでなく、第２の建物１１ｂでも適切な動作が行われ、より多くの建物で適切な動作ができる。これにより、例えば、より十分に、ＣＯ２排出量が削減できる。
【０１８１】
こうして、先述の通り、同地域（近傍領域１０１ｂＲ参照）の複数の建物（２つの建物１１ｂ、１１ｈ参照）の間で、省エネ制御経験情報（先述の最適消費エネルギーパターン８１０ｈ参照）を共有することができる。
【０１８２】
これにより、第２の建物１１ｂにおいても、迅速、容易、かつ確実に、適切な制御内容での制御ができる。
【０１８３】
こうして、第１のエネルギー管理装置１０１ａと、第２のエネルギー管理装置１０１ｂとのそれぞれにおいて、制御経歴転送処理部３０３などの複数の構成が組み合わせられる。これにより、それぞれ、組み合わせによる相乗効果が生じる。これに対して、従来例では、これらの構成の１つ又は複数を欠き、相乗効果が生じない。この点で、第１のエネルギー管理装置１０１ａ及び第２のエネルギー管理装置１０１ｂのそれぞれは、従来例に対して相違する。
【０１８４】
なお、上述された、１又は複数の機能を実現するためのコンピュータプログラムが構築されてもよいし、そのコンピュータプログラムが記憶された記憶媒体が構築されてもよいし、それらの機能を実現するための集積回路が構築されてもよい。
【０１８５】
なお、このようなシステム１における、単なる細部に関しては、適切な多くの形態のうちの、何れの形態が採られてもよい。具体的には、例えば、細部については、当業者が容易に思い付く形態が採られてもよいし、改良発明が適用された形態などの、容易には思い付かない形態が採られてもよい。何れのケースでも、本発明が適用されたシステムであれば、システム１の範囲に属する。
【０１８６】
なお、こうして、建物内の複数種類の機器に対する最適な省エネ制御経験を、地域範囲で、自動的かつ迅速に共有する伝授方法が提供できる。
【０１８７】
本発明を、上記実施の形態に基づいて説明してきたが、本発明は、上記実施の形態に限定されるものではなく、本発明の主旨を逸脱しない範囲内で種々の改良、変形が可能である。
【産業上の利用可能性】
【０１８８】
本願発明にかかるエネルギー管理装置、及び、エネルギー管理装置の省エネ制御経験伝授方法は、地域（例えば、図１６の近傍領域１０１ｂＲなど）の範囲で、省エネ制御経験を共有することが可能になる（図１６の第１、第２のエネルギー管理装置１０１ｂ、１０１ａなどを参照）という効果を有し、消費エネルギーの抑制、及び、ＣＯ２排出量の削減の実現に用いられる方法及び装置として有用である。なお、開示された方法は、地域に限らず、類似度が満たされた、より広い範囲でも、また、住宅に限らず、オフィスビルにも適用可能である。
【符号の説明】
【０１８９】
１０１  エネルギー管理装置
２０１  ＣＰＵ
２０２  記憶部
２０３  通信Ｉ／Ｆ
３０１  機器情報処理部
３０２  機器運転処理部
３０３  制御経歴転送処理部
３０４  ユーティリティ情報処理部
３０５  消費エネルギー経歴管理部
３０６  制御経歴処理部
３０７  機器制御適用部
３１１  機器消費エネルギー情報保存部
１１Ｕ  ユーティリティ会社
１１Ｍ  管理サーバ
【図１】
0005593325.tif 000002
【図２】
0005593325.tif 000003
【図３】
0005593325.tif 000004
【図４】
0005593325.tif 000005
【図５】
0005593325.tif 000006
【図６】
0005593325.tif 000007
【図７】
0005593325.tif 000008
【図８】
0005593325.tif 000009
【図９】
0005593325.tif 000010
【図１０】
0005593325.tif 000011
【図１１】
0005593325.tif 000012
【図１２】
0005593325.tif 000013
【図１３】
0005593325.tif 000014
【図１４】
0005593325.tif 000015
【図１５】
0005593325.tif 000016
【図１６】
0005593325.tif 000017